(57)【要約】【課題】  壁埋め込み型器具本体が接続されたコードを通すことができるが、器具本体の化粧板の保持強度を低下することがない壁埋め込み器具用化粧板取付け枠を提供すること。【解決手段】  １対の縦枠部２２Ｒ、２２Ｌと１対の横枠部２４Ｕ、２４Ｌとが一体に形成された枠本体２６から成り、１つの縦枠部２２Ｌに設けられ当該枠部を部分的に切離すことができる２つの切離し可能部（溝薄肉部）２８Ａ、２８Ｂを有する。コードを通すために、切離し可能部２８Ａ、２８Ｂを手で切離して枠本体２６にコードを取り込む開口を形成することができる。【選択図】    図７
0003187392.tif 000002
【実用新案登録請求の範囲】
【請求項１】
コードが接続された器具本体の化粧板を取り付けるためのものであって１対の縦枠部と１対の横枠部とが一体に形成された枠本体から成る壁埋め込み器具用化粧板取付け枠において、前記枠本体の１対の縦枠部と１対の横枠部との４つの枠部のいずれか１つの枠部に設けられ当該枠部を部分的に切離すことができる少なくとも２つの切離し可能部を有することを特徴とする壁埋め込み器具用化粧板取付け枠。
【請求項２】
請求項１に記載の壁埋め込み器具用化粧板取付け枠であって、前記２つの切離し可能部は、溝によって形成された薄肉部である壁埋め込み器具用化粧板取付け枠。
【請求項３】
請求項１又は２に記載の壁埋め込み器具用化粧板取付け枠であって、前記２つの切離し可能部は、前記１つの枠部の両端に当該枠部の長手方向に延びる残り枠部分を形成する位置に設けられている薄肉部である壁埋め込み器具用化粧板取付け枠。
【請求項４】
請求項１乃至３のいずれかに記載の壁埋め込み器具用化粧板取付け枠であって、前記壁埋め込み器具用化粧板取付け枠は、壁板と前記器具本体との間に配置されて前記コードが貫通するコード貫通孔を有するものである壁埋め込み器具用化粧板取付け枠。
【考案の詳細な説明】
【技術分野】
【０００１】
本考案は、壁埋め込み型の種々の器具、例えば、壁埋め込みスイッチ、電源コンセント、壁埋め込みＵＳＢ端子、アンテナ端子の如きコードの端末が接続された種々のコード端末器具に用いられる化粧板器具取付け枠に関し、更に詳細に述べると、コードが貫通する貫通孔を有し壁板の如き所定の取付け体に取り付けられるコード端末器具の化粧板を取り付けるのに用いられる壁埋め込み器具用化粧板取付け枠の改良に関するものである。
【背景技術】
【０００２】
壁埋め込み型コード端末器具としての電源コンセントを例に述べると、コードの端末に取り付けられたコンセント本体の如き器具本体の部品を壁板に取り付けるために器具取付け枠が用いられている。この種の器具取付け枠は、器具本体の前側に配置される場合には、器具本体の壁から露呈すべき部分が貫通する貫通孔を有するだけでよいが、器具本体の後側に配置される場合には、器具本体の露呈すべき部分貫通用の貫通孔を設けるほかに、器具取付け枠内にコードが貫通することができるようにしなければならないが、このように、器具取付け枠内に器具本体が接続されたコードを取り込むことができるようにする種々の構造が提案されている（特許文献１及び２参照）。
【０００３】
特許文献１（特開２０１２−１０４２４号公報）に開示されている器具取付け枠１０（同公報では器具固定枠と称されている）は、略コ字形又はＣ字形の主枠部分（特許文献１も符号２１で示される第１分割体）とコ字又はＣ字の開口部分を閉じるように主枠部分に枢支された副枠部分（同文献１の符号４１で示される第２分割体）とから成っている。この構造の器具取付け枠１０は、副枠部分４１を閉じる前にコードを器具取付け枠の開口内に入り込ませることができ、コードを開口に通した後、副枠部分を主枠部分の両端部に係合突片と係合孔とで嵌め込み式に連結して主枠部分の開口を閉じるように構成されている。しかし、この構造の器具取付け枠は、主枠部分と副枠部分との相対する両端部に係合突片と係合孔との連結構造を設ける必要があり、構造が複雑であり、安価に提供することができない欠点があった。
【０００４】
特許文献２（特開２０１２-２４４８１５号公報）に開示されている器具取付け枠１１は、コ字形の枠本体１２から成っており、枠本体１２の正面側に設けられた第１と第２の規制突部１８ａ、１８ｂを壁孔Ｗａに挿入してこれらの規制突部１８ａ、１８ｂによって壁孔Ｗａ内で移動することがないように規制している。この器具取付け枠１１は、コ字形であるので、コードを枠内に取り込むことができるが、枠は、縦方向の連結片１４と横方向の上下の挟持片１３、１３とから成っているので、上下の挟持片１３、１３の自由端（開口側の端部）で終わっており、器具本体である配線器具Ｈを保持する器具保持枠２０は、器具取付け枠１１の上下の挟持片１３、１３で高い強度で保持することができない欠点があった。
【０００５】
なお、特許文献３（特開平７−１０６０２９号公報）は、側枠部６ａ、６ｂと上下の枠部６ｃ、６ｄとから成る矩形状の枠本体（主体）３ａを有する壁板用取付け具３を開示しており、この枠本体３ａは、上下の枠部６ｃ、６ｄに溝６ｅを形成して一方の側枠部６ｂを上下の枠部６ｃ、６ｄから切り離すようにした構造を開示している。この取付け具３は、同文献の図５に示すように、２つの取付け具３を一方の側枠部が切り離された上下の枠部６ｃ、６ｄを対称的に相互に連接して使用することができることが開示されている。しかし、１つの取付け具のみで配線器具を取り付けようとすると、特許文献２の器具取付け枠と同様の理由で器具本体の保持強度が低下する欠点を有する。
【先行技術文献】
【特許文献】
【０００６】
【特許文献１】特開２０１２―０１０４２４号公報
【特許文献２】特開２０１２−２４４８１５号公報
【特許文献３】特開平７−１０６０２９号公報
【考案の開示】
【考案が解決しようとする課題】
【０００７】
本考案が解決しようとする課題は、壁埋め込み型器具本体が接続されたコードを通すことができるが、器具本体の化粧板の保持強度を低下することがない壁埋め込み器具用化粧板取付け枠を提供することにある。
【課題を解決するための手段】
【０００８】
本考案の課題解決手段は、コードが接続された器具本体の化粧板を取り付けるためのものであって１対の縦枠部と１対の横枠部とが一体に形成された枠本体から成る壁埋め込み器具用化粧板取付け枠において、前記枠本体の１対の縦枠部又は横枠部との４つの枠部のいずれか１つの枠部に設けられ当該枠部を部分的に切離すことができる少なくとも２つの切離し可能部を有することを特徴とする壁埋め込み器具用化粧板取付け枠を提供することにある。
【０００９】
本考案の課題解決手段において、前記２つの切離し可能部は、溝によって形成された薄肉部であるのが好ましく、また、前記２つの切離し可能部は、１つの枠部の両端に当該枠部の長手方向に延びる残り枠部分を形成する位置に設けられている薄肉部であるのが好ましい。更に、前記壁埋め込み器具用化粧板取付け枠は、壁板と前記器具本体との間に配置されて前記コードが貫通するコード貫通孔を有するものであるのが好ましい。
【考案の効果】
【００１０】
本考案の化粧板取付け枠は、１対の縦方向又は横方向の枠部との４つの枠部のいずれか１つの枠部に設けられた少なくとも２つ切離し可能部を有するので、予めコードが接続された器具本体の裏側に化粧板取付け枠を配置する場合に、切離し可能部が設けられた枠部をニッパー等で部分的に切離すことによって枠本体に枠内の貫通孔に連通する開口を形成することができ、従って、コードが接続された器具本体の裏側に取付け枠を容易に配置することができるのはもちろん、この部分的に切離された枠部は、器具本体の化粧板を保持する領域を可及的に大きくすることができるので、器具本体を高い強度で取り付けて固定することができる。
【図面の簡単な説明】
【００１１】
【図１】本考案の壁埋め込み器具用化粧板取付け枠が用いられた電源コンセントの正面図である。
【図２】図１の２-２線断面図である。
【図３】図１の３-３線断面図である。
【図４】図１の電源コンセントの組立て時に本考案の化粧板取付け枠を組み込む前の分解斜視図である。
【図５】図４とほぼ同じであるが、本考案の化粧板取付け枠を組み込んだ状態の分解斜視図である。
【図６】図１の電源コンセントに用いられる化粧板の背面図である。
【図７】本考案の化粧板取付け枠の一例を示し、同図（Ａ）乃至（Ｄ）は、その正面図、背面図、同図（Ａ）のＣ−Ｃ線断面図及び組み立て時に一部を取り除いた状態の斜視図である。
【考案を実施するための最良の形態】
【００１２】
本考案の実施の形態を図面を参照して詳細に述べると、図１は、本考案に係る壁埋め込み型器具用化粧板取付け枠２０を用いた壁埋め込み式二口型電源コンセント１０を示し、この電源コンセント１０は、コード３０が接続されたコンセント本体の如きコード付き兼枠付き器具本体４０と、この器具本体４０を後に述べる化粧板取付け枠２０と共に保持する埋め込みボックス５０と、器具本体４０のコンセントの差込み口正面部分４４Ｓを除く枠部分等を隠ぺいする化粧板（フェースプレート）６０とから成っている。  
【００１３】
埋め込みボックス５０は、金属から作られており、図２及び図３に示すように、間柱７０と壁板８０の間に図示しないビスによって固定されている。器具本体４０は、埋め込みボックス５０のコード貫通孔５０Ｈを貫通して埋め込みボックス５０内に導入され壁板８０の開口８０Ａから導出されたコード３０に接続された状態で壁板８０の前面に配置されている（図４及び図５参照）。
【００１４】
器具本体４０は、図４及び図５に示すように、金属製の基板４２に取り付けられたコンセント部品４４から成り、コード３０は、このコンセント部品４４の背面でコンセント部品４４の導電端子（図示せず）に適宜の手段で接続されている。基板４２は、後に述べるように、器具本体４０を器具取付け枠２０を介して埋め込みボックス５０の正面に設けられたねじ孔５０ＴＨにねじ込まれる上下２つのねじ４６によって埋め込みボックス５０に取り付けられる。
【００１５】
器具本体４０の基板４２は、図４及び図５から解るように、ねじ４６が貫通する上下２つの長孔４２Ｈと、後に述べる器具取付け枠２０の上下２つの位置決め突起２４Ｐが係入する位置決め係入孔４２Ｅを有する上下の突部４２Ｐを有する。
【００１６】
化粧版（フェースプレート）６０は、金属又はプラスチック製とすることができ、この化粧板６０は、図２、図３及び図６から解るように、後方に向けて突出する突縁６２とコンセント部品４４の正面に差し込み口正面部分４４Ｓが係入してこの正面部分４４Ｓが正面に露呈するようするコンセント係入孔６４とを有する。また、この化粧板６０は、後に述べる化粧板取付け枠２０の弾性保持爪に弾性的に係入して化粧板取付け枠２０に化粧板６０を保持するための保持ピン６６と、縦方向の２つの突縁６２の中央部分に設けられて化粧板６０を器具取付け枠２０に着脱する際にマイナスドライバー等の先端を差し込んで化粧板２０を着脱するための着脱用係合凹部６８を更に有する。
【００１７】
本考案の化粧板取付け枠２０は、図４、図５及び図７に示すように、１対の左右の縦枠部２２Ｒ、２２Ｌと１対の上下の横枠部２４Ｕ、２４Ｌとが一体に形成されたプラスチック製の枠本体２６から成り、枠本体２６の１対の縦枠部２２Ｒ、２２Ｌ又は横枠部２４Ｕ、２４Ｌのいずれか１つの枠部に設けられ当該枠部を部分的に切離すことができる少なくとも２つの切離し可能部２８Ａ、２８Ｂを有する。図示の形態では、これらの切離し可能部２８Ａ、２８Ｂは、左側の縦枠部２２Ｌに設けられ、またこの切離し可能部２８Ａ、２８Ｂは、縦枠部２２Ｌの表側に設けられて薄肉部とするための溝から成っているが、例えば、ミシン目の如きものであってもよい。
【００１８】
これら切離し可能部２８Ａ、２８Ｂによって切り離されて残る左側の縦枠部２２Ｌの上下の残り枠部分（縦枠部分２２Ｌの長手方向に延びる残り枠部分）２２ＬＵ、２２ＬＬができるだけ長くなるように、切離し可能部２８Ａ、２８Ｂは、当該枠部２２Ｌの中央よりに設けられているのが好ましい。
【００１９】
既に述べたように、本考案の化粧板取付け枠２０は、器具本体４０を固定するねじ４６が貫通するために上下の横枠部２４Ｕ、２４Ｌにそれぞれ設けられた上下の２つの長孔２４Ｈと、器具本体４０の基板４２に設けられた位置決め係入孔４２Ｅに係入する位置決めピン２４Ｐと、枠本体２２の四隅、具体的には、縦枠部２２Ｌ、２２Ｒと横枠部２４Ｕ、２４Ｌの連結部に設けられ化粧板６０の保持ピン６６が弾性的に係入して化粧板６０を化粧板取付け枠２０に固定して保持する弾性保持爪２６ＰＷを有する。
【００２０】
次に、本考案の化粧板取付け枠２０を用いてコード端末器具である電源コンセント１０の組立て方法を図４及び図５を参照して述べると、図４に示すように、埋め込みボックス５０のコード貫通孔５０Ｈ、壁板８０の開口８０Ａを貫通するコード３０に接続された器化粧板体４０のコード３０を壁板８０から大きく引き出しつつ器具本体４０を壁板８０の手前に配置する。
【００２１】
次いで、化粧板取付け枠２０の切離し可能部２８Ａ、２８Ｂ（図７（Ａ）参照）をニッパー等で切離して図４及び図７（Ｄ）に示すように、左側の縦枠部２２Ｌの中央部分を切り離して縦枠部２２Ｌを開き、この開いた部分を通してコード３０を通して組み込み、図５に示すように、器具取付け枠２０を壁板８０と器具本体４０との間に配置する。
【００２２】
その後、ねじ４６を器具本体４０の基板４２の長孔４２Ｈ、化粧板取付け枠２０の長孔２４Ｈを貫通して埋め込みブロック５０のねじ孔５０ＴＨにねじ込んで器具本体４０及び器具取付け枠２０を埋め込みブロック５０に固定する。
【００２３】
最後に、化粧板（フェースプレート）６０のコンセント係入孔６４を通してコンセント部品４４の正面部分４４Ｓが露呈するように、化粧板６０を器具取付け枠２０に固定するが、この器具取付け枠２０の固定は、その裏側の保持ピン６６を器具取付け枠２０の弾性保持爪２６ＰＷに弾性的に差し込んで行われる。
【００２４】
なお、この化粧板取付け枠２０は、例えば、器具本体２０の手前（正面側）に配置することができる場合には、切離し可能部２８Ａ、２８Ｂで切離すことなく、四角い枠本体２６のまま使用することができる。
【００２５】
本考案の化粧板取付け枠２０は、その枠本体２６の１つの枠部に２つの切離し可能部２８Ａ、２８Ｂを設けたので、例えば、相対する上下の枠部の端部付近に切離し可能部を設ける場合に比べて、切離し可能部２８Ａ、２８Ｂを有する枠部の切離し後残りの枠部分の長さが大きく、従って、器具本体２０及び化粧板６０を高い強度でそれぞれの被取付け部に固定することができる。
【００２６】
なお、上記の実施の形態では、切離し可能部２８Ａ、２８Ｂは、左側の縦枠部２２Ｌに設けられたが、それに代えて右側の縦枠部２２Ｒに設けてもよいし、上側又は下側の枠部２４Ｕ、２４Ｌのいずれかに設けてもよいが、上下の枠部２４Ｕ、２４Ｌに設ける場合には、ねじ４６の貫通孔等は、切離しによって影響受けない位置に設けなければならない。
【００２７】
また、図示の実施の形態では、２つの切離し可能部２８Ａ、２８Ｂを設けたが、３つの切離し可能部を設けてもよく、この場合には、切離し可能部を選択して切離す長さを適宜設定することができる。
【産業上の利用可能性】
【００２８】
本考案によれば、枠本体の１つの枠部に少なくとも２つ切離し可能部２８Ａ、２８Ｂを設けたので、切離し後の枠本体の残りの領域が大きく、従って器具本体の化粧板を取り付ける際の強度を大きく維持することができ、高い産業上の利用可能性を有する。
【符号の説明】
【００２９】
１０      壁埋め込み式二口型電源コンセント
２０      壁埋め込み型器具用化粧板器具取付け枠
２２Ｒ、２２Ｌ  １対の左右の縦枠部
２４Ｕ、２４Ｌ  １対の上下の横枠部
２４Ｈ    長孔
２４Ｐ    位置決めピン
２６      枠本体
２８Ａ、２８Ｂ  ２つの切離し可能部
２６ＰＷ  弾性保持爪
３０      コード
４０      コード付き兼枠付き器具本体
４２      基板
４２Ｈ    長孔
４２Ｅ    位置決め係入孔
４２Ｐ    上下の突部
４４      コンセント部品
４４Ｓ    差込み口正面部分
４６      ねじ
５０      埋め込みボックス
５０Ｈ    コード貫通孔
５０ＴＨ  ねじ孔
６０      化粧板（フェースプレート）
６２      突縁
６４      コンセント係入孔
６６      保持ピン
６８      指係合凹部
７０      間柱
８０      壁板
８０Ａ    開口
【図１】
0003187392.tif 000003
【図２】
0003187392.tif 000004
【図３】
0003187392.tif 000005
【図４】
0003187392.tif 000006
【図５】
0003187392.tif 000007
【図６】
0003187392.tif 000008
【図７】
0003187392.tif 000009